(57)【要約】【課題】冷却ファンの運転に関して省エネルギ化を実現した上で、ユーザーにとって不安感を覚えない庫内温度表示を行う。【解決手段】庫内サーミスタ２８の検知温度Ｔｋが庫内設定温度の上限値Ｔｓｕに達したら圧縮機２１を運転し、下限値Ｔｓｄに達したら圧縮機２１を停止することを繰り返す運転制御部と、検知温度Ｔｋに応じて温度を表示する庫内温度表示部３５とを備えたものにおいて、圧縮機２１の運転制御中において圧縮機２１が停止する間は、冷却ファン２６を間欠的に運転し、かつ同間欠運転が停止状態から開始されるように制御するファン制御部４０と、冷却ファン２６の間欠運転時において検知温度Ｔｋが庫内設定温度の下限値Ｔｓｄ未満であった場合には、庫内温度表示部３５で表示される表示温度を、検知温度Ｔｋよりも高い所定の補正温度に補正する表示温度補正部４１とが設けられる。【選択図】図６
2011208850.tif 000002
【特許請求の範囲】
【請求項１】
貯蔵物を収容する貯蔵室と、
圧縮機を含む冷凍装置と接続され前記貯蔵室に配された冷却器と、
この冷却器で生成された冷気を前記貯蔵室に循環流通させる冷却ファンと、
前記貯蔵室内の温度を検知する庫内サーミスタと、
この庫内サーミスタの検知温度が予め設定された庫内設定温度の上限値に達したら前記圧縮機を運転し、庫内設定温度の下限値に達したら前記圧縮機の運転を停止することを繰り返す運転制御手段と、
前記庫内サーミスタの検知温度に応じて温度を表示する庫内温度表示手段とを備えたものにおいて、
前記圧縮機の運転制御中において前記圧縮機が停止する間は、前記冷却ファンを間欠的に運転し、かつ同間欠運転が停止状態から開始されるように制御するファン制御手段と、
前記冷却ファンの間欠運転時において前記庫内サーミスタの検知温度が前記庫内設定温度の下限値未満であった場合には、前記庫内温度表示手段で表示される表示温度を、前記検知温度よりも高い所定の補正温度に補正する表示温度補正手段と、
が設けられていることを特徴とする冷却貯蔵庫。
【請求項２】
前記補正温度が、前記庫内設定温度の下限値であることを特徴とする請求項１記載の冷却貯蔵庫。
【請求項３】
前記補正温度が、前記庫内設定温度であることを特徴とする請求項１記載の冷却貯蔵庫。
【請求項４】
前記表示温度補正手段は、前記冷却ファンの間欠運転時における前記冷却ファンが初めにオフ状態となった場合にのみ機能するようになっていることを特徴とする請求項１ないし請求項３のいずれか一項に記載の冷却貯蔵庫。
【請求項５】
前記表示温度補正手段は、前記庫内サーミスタの検知温度が前記庫内設定温度の下限値に達したのちさらに当該庫内設定温度の下限値よりも所定値低い低基準温度以下となった場合には、当該検知温度を前記表示温度に適用する機能を備えていることを特徴とする請求項１ないし請求項３のいずれか一項に記載の冷却貯蔵庫。
【請求項６】
前記庫内サーミスタの検知温度が前記低基準温度以下である状態が連続して所定時間継続した場合には、低温警報を発生する警報手段が設けられていることを特徴とする請求項５記載の冷却貯蔵庫。
【発明の詳細な説明】
【技術分野】
【０００１】
本発明は、冷却制御運転が行われる冷却貯蔵庫に関し、特に圧縮機の停止時に冷却ファンの稼働率を制限して省エネルギ化を図った冷却貯蔵庫に関する。
【背景技術】
【０００２】
この種の冷却貯蔵庫として、特許文献１に記載のものが知られている。このものは、庫内サーミスタで検知した庫内温度が予め設定された庫内設定温度の上限値に達したら冷凍装置における圧縮機をオンし、庫内設定温度の下限値に達したら圧縮機をオフすることを交互に繰り返すことより、庫内をほぼ設定温度に冷却するようになっている。一方、圧縮機がオンされている間に冷却器で生成された冷気を貯蔵室に循環させる冷却ファンは、圧縮機がオフ状態のときでも運転すると、庫内空気が攪拌される形態となって庫内の温度分布のばらつきを無くすことに有効であり、但し冷却ファンを連続運転すると電力消費の増大を招くために、冷却ファンの稼働率を制限して省エネルギ化を図るようにしている。  
当該従来技術では、冷却ファンについてオン／オフ時間が１５秒／１５０秒の間欠運転を行い、かつ省エネルギ化により有効なように間欠運転をオフから開始するようにしている。
【先行技術文献】
【特許文献】
【０００３】
【特許文献１】特許第３２２０３７７号公報
【発明の概要】
【発明が解決しようとする課題】
【０００４】
一方、この種の冷却貯蔵庫では、庫内サーミスタで検知した庫内温度を、扉の前面等に設けた温度表示部で表示するようにしているが、上記のように冷却ファンの間欠運転を行った場合には、温度表示に関して以下のような不具合を招くおそれがある。  
図７に示すように、庫内サーミスタ１は、庫内空気を冷却器２に向ける庫内ダクト３の途中に配されて、その検知温度を庫内温度と見なすようにされているが、上記のように圧縮機が停止して冷却ファン４が間欠運転に切り替わり、かつ初めのオフ状態のときには、同図の矢線に示すように、冷却器２の冷熱が自然対流によって庫内サーミスタ１に到達し、庫内温度が庫内設定温度の下限値程度であるにも拘わらず、検知温度はそれを大きく下回る可能性がある。
【０００５】
冷蔵庫では庫内設定温度が例えば３℃に設定され、その下限値（設定温度−２Ｋ）は「１℃」程度となるのであるが、上記の状況においては、検知温度が同下限値からさらに２Ｋ程度下がる可能性があり（「−１℃」）、そうすると、庫内温度としてマイナス温度「−１℃」が温度表示部で表示されることとなり、貯蔵物が凍ってしまうのではないかといった不安感をユーザーに与えるおそれがあった。  
本発明は上記のような事情に基づいて完成されたものであって、その目的は、冷却ファンの運転に関して省エネルギ化を実現した上で、ユーザーにとって不安感を覚えない庫内温度表示を行うところにある。
【課題を解決するための手段】
【０００６】
本発明の冷却貯蔵庫は、貯蔵物を収容する貯蔵室と、圧縮機を含む冷凍装置と接続され前記貯蔵室に配された冷却器と、この冷却器で生成された冷気を前記貯蔵室に循環流通させる冷却ファンと、前記貯蔵室内の温度を検知する庫内サーミスタと、この庫内サーミスタの検知温度が予め設定された庫内設定温度の上限値に達したら前記圧縮機を運転し、庫内設定温度の下限値に達したら前記圧縮機の運転を停止することを繰り返す運転制御手段と、前記庫内サーミスタの検知温度に応じて温度を表示する庫内温度表示手段とを備えたものにおいて、前記圧縮機の運転制御中において前記圧縮機が停止する間は、前記冷却ファンを間欠的に運転し、かつ同間欠運転が停止状態から開始されるように制御するファン制御手段と、前記冷却ファンの間欠運転時において前記庫内サーミスタの検知温度が前記庫内設定温度の下限値未満であった場合には、前記庫内温度表示手段で表示される表示温度を、前記検知温度よりも高い所定の補正温度に補正する表示温度補正手段と、が設けられていることを特徴としている。  
なお、上記構成における「圧縮機を含む冷凍装置と接続され前記貯蔵室に配された冷却器」とは、正に貯蔵室の一部に冷却器が配されている場合に加え、貯蔵室と連通された形態で冷却器室が設けられて同冷却器室に冷却器が配されている場合も含むものとする。
【０００７】
冷却制御運転中において圧縮機の停止状態となると、ファン制御手段により、冷却ファンは間欠運転に移行しかつ停止状態から開始される。このとき、冷却器の冷熱等の影響を受けて庫内サーミスタの検知温度が実際の庫内温度よりも低くなり、特に同検知温度が庫内設定温度の下限値を下回ると、表示温度補正手段の機能によって、同検知温度よりも高い所定の補正温度が表示温度となって、庫内温度表示手段で表示される。  
圧縮機の停止時に冷却ファンを間欠運転するに当たり、特に停止状態から開始するようにしたことで、省エネルギ化をより確実に実現でき、それに伴って検知温度が実際の庫内温度を不必要に下回るものになったとしても、実際の庫内温度に近いものが表示でき、もってユーザーが不安感を覚えることが回避される。
【０００８】
また、以下のような構成としてもよい。  
（１）前記補正温度が、前記庫内設定温度の下限値である。  
（２）前記補正温度が、前記庫内設定温度である。  
（３）前記表示温度補正手段は、前記冷却ファンの間欠運転時における前記冷却ファンが初めにオフ状態となった場合にのみ機能するようになっている。表示温度の補正に係る制御時間が短縮され、制御装置においてＣＰＵの利用率を高めたり、メモリの容量を抑えることができるといった効果が得られる。
【０００９】
（４）前記表示温度補正手段は、前記庫内サーミスタの検知温度が前記庫内設定温度の下限値に達したのちさらに当該庫内設定温度の下限値よりも所定値低い低基準温度以下となった場合には、当該検知温度を前記表示温度に適用する機能を備えている。  
庫内サーミスタの検知温度が庫内設定温度の下限値を下回ると、上記のように補正温度が表示されるが、同検知温度がさらに低基準温度以下となると、当該検知温度がそのまま表示温度として表示される。  
庫内サーミスタの検知温度が低基準温度以下となるときは、何らかの異常があったとき、例えば冷却ファンが故障により停止状態にあったり、圧縮機が停止のタイミングとなっても運転が継続されている事態が起きた等の可能性が高いため、低基準温度以下の温度が表示されることで、異常があったことの予備警告を行うことができる。
【００１０】
（５）前記庫内サーミスタの検知温度が前記低基準温度以下である状態が連続して所定時間継続した場合には、低温警報を発生する警報手段が設けられている。異常があったことを正確に検知して、これが警報として発せられる。
【発明の効果】
【００１１】
本発明によれば、冷却ファンの運転に関して省エネルギ化を実現した上で、ユーザーにとって不安感を覚えない庫内温度表示を行うことができる。
【図面の簡単な説明】
【００１２】
【図１】本発明の一実施形態に係る冷蔵庫の一部切欠正面図
【図２】その一部切欠概略平面図
【図３】冷凍回路図
【図４】冷却制御運転の制御機構を示すブロック図
【図５】冷却ファンの制御形態を示すタイミングチャート
【図６】庫内検知温度と表示温度との関係を示すタイミングチャート
【図７】従来例に係る冷却器室付近の構造を示す概略断面図
【発明を実施するための形態】
【００１３】
＜実施形態＞
以下、本発明の一実施形態を図１ないし図６に基づいて説明する。この実施形態では横型冷蔵庫を例示している。  
冷蔵庫は、図１に示すように、前面に開口した横長の断熱箱体からなる冷蔵庫本体１０を有し、内部が貯蔵物を収容する冷蔵室１１となっており、底面の四隅に設けられた脚１２によって支持されている。冷蔵室１１の前面開口は、図２に示すように、断熱性の中枠１３で仕切られて左右の出入口１４が形成され、観音開き式の断熱扉１５が装着されている。中枠１３には、結露防止用の中枠ヒータ１３Ａが埋設されている。
【００１４】
この冷蔵庫には、図３に示すように、圧縮機２１、凝縮器２２、キャピラリチューブ２３及び冷却器２４（蒸発器）を冷媒配管により循環接続してなる冷凍回路２０が装備されている。  
冷蔵庫本体１０の側方には機械室１６が設けられ、その内部の上部側には、冷蔵室１１と連通した冷却器室１７が張り出して形成されており、冷凍回路２０のうちの冷却器２４は、冷却ファン２６ともども冷却器室１７に装備されている一方、冷凍装置２５を構成する圧縮機２１、凝縮器２２及びキャピラリチューブ２３は、機械室１６内の下部側に収容されている。  
冷蔵室１１の左側壁には、庫内空気を冷却器２４の下面側に向けて案内する庫内ダクト２７が配設され、同庫内ダクト２７に、庫内温度を検知するべく庫内サーミスタ２８が設けられている。  
また、冷却器室１７の底面には、除霜水を受けるドレンパン２９が配設され、ドレンパン２９の裏面には、落下した霜の塊等を溶融するべくパンヒータ２９Ａが設けられている。
【００１５】
本実施形態の冷却制御機構を説明する。まず、基本的な冷却制御運転について説明する。図４に示すように、タイマ３１等を付設した制御装置３０の入力側には、庫内設定温度Ｔｓを入力する設定温度入力部３２と、庫内サーミスタ２８とが接続され、一方、出力側には、圧縮機２１と、冷却ファン２６とが接続されている。  
本実施形態は冷蔵庫であるから、庫内設定温度Ｔｓは例えば「３℃」に設定され、この庫内設定温度Ｔｓと、庫内サーミスタ２８で検知された庫内検知温度Ｔｋとの比較結果に基づいて、冷凍装置２５の圧縮機２１がオンオフ制御される。
【００１６】
具体的には、図５に示すように、庫内サーミスタ２８の検知温度Ｔｋが庫内設定温度Ｔｓの上限値Ｔｓｕ（Ｔｓ＋２Ｋ＝５℃）に達したら、圧縮機２１並びに冷却ファン２６が運転され、図１の矢線ｘに示すように、庫内空気が庫内ダクト２７を通って冷却器２４を通過する間に冷気が生成され、その冷気が冷蔵室１１内に吹き出されることで循環供給され、経時後に検知温度Ｔｋが庫内設定温度Ｔｓの下限値Ｔｓｄ（Ｔｓ−２Ｋ＝１℃）に達したら圧縮機２１の運転が停止され、その繰り返しによって庫内温度がほぼ設定温度「３℃」に維持されるようになっている。
【００１７】
ここで本実施形態では、上記した圧縮機２１が停止状態にある間に、冷却ファン２６の格別な運転制御を行う機能を備えている（ファン制御部４０）。すなわち圧縮機２１のオフ状態において、冷却ファン２６は、図５に示すように、間欠運転がなされ、例えばオン／オフ時間が１５秒／１５０秒の間欠運転が行われ、かつ同間欠運転がオフから開始されるようになっている。  
圧縮機２１が停止状態のときでも冷却ファン２６を運転することによって、庫内空気が攪拌される形態となって庫内の温度分布のばらつきを無くすことに有効であり、但し、冷却ファン２６はオフ時間の割合が高い間欠運転であり、かつオフから開始していることから、消費エネルギの低減に有効となる。
【００１８】
なお、制御装置３０には、上記した中枠１３に設けられた中枠ヒータ１３Ａと、ドレンパン２９に設けられたパンヒータ２９Ａのオンオフを制御するヒータ制御部４５が設けられている。  
中枠ヒータ１３Ａは結露防止用であるから、通常は冷却制御運転中は継続してオンされる。一方、パンヒータ２９Ａは、除霜運転時に機能させるものであるから、通常は冷却制御運転中はオフ状態である。それに対して本実施形態では、中枠ヒータ１３Ａとパンヒータ２９Ａの両方とも、冷却制御運転中における圧縮機２１が停止状態にある間、上記の冷却ファン２６と同期して間欠運転されるようになっている。
【００１９】
圧縮機２１が停止状態のときでは、冷却ファン２６が運転された場合に、図２の矢線ｙに示すように、中枠１３に冷気が当てられて冷却されることで結露がしやすい状態になると言えるが、この冷却ファン２６の運転時のみに中枠ヒータ１３Ａがオンされて昇温され、結露防止が図られる。言い換えると、結露の可能性のあるときのみ中枠ヒータ１３Ａをオンするのであるから、消費電力を抑えて効率良く結露防止を図ることができる。また、中枠ヒータ１３Ａを間欠運転することにより、圧縮機２１の停止中における庫内の温度上昇が緩和され、圧縮機２１の運転率が低減されることでさらに省エネルギ化に寄与し得る。
【００２０】
一方、圧縮機２１が停止している間に、パンヒータ２９Ａを冷却ファン２６と同期して運転する場合の利点は以下のようである。パンヒータ２９Ａがオンすることにより冷却器２４の下方の空気が暖まるとともに、冷却ファン２６により同暖気が冷却器２４に当てられることで着霜を防ぐことができる。結果、冷却器２４への着霜量が低減され、１日の間に定期的に行われる複数回の除霜運転の時間を短縮することができる。なお、パンヒータ２９Ａをオンすることは、庫内温度の上昇を招くことに繋がるが、短時間ずつ間欠的にオンされるだけであるから、庫内温度の上昇についてはほとんど影響が無い。
【００２１】
さて、上記した冷却制御運転の間、庫内サーミスタ２８の検知温度Ｔｋに基づき、庫内温度として断熱扉１５の表面等に設けられた庫内温度表示部３５に表示するようになっている。本実施形態では、所定時間（例えば３０秒）おきのタイミングで検知温度Ｔｋを読み取って、温度表示を切り替えるようにしている。より具体的には、庫内サーミスタ２８の分解能は「０．５℃」であって、０．５℃単位で検知温度Ｔｋを読み取り、庫内温度表示部３５ではさらにそれを切り捨てた整数値として表示するようにしている。例えば、実際の庫内温度が「２．４℃」であると、庫内サーミスタ２８の検知温度Ｔｋは「２．５℃（推定）」となり、表示温度は「２℃」となる。
【００２２】
ここで、上記のように圧縮機２１の停止時において冷却ファン２６の間欠運転制御を行った場合には、庫内温度の表示に関して以下のような不具合を招くおそれがある。  
すなわち、図５に示すように、圧縮機２１が停止して冷却ファン２６が間欠運転に切り替わり、かつ初めのオフ状態のときには、図１の矢線ｚに示すように、冷却器２４の冷熱が自然対流によって庫内ダクト２７に配された庫内サーミスタ２８に到達し、庫内サーミスタ２８は、実際の庫内温度よりも低い値を検知する可能性がある。当該冷蔵庫では、庫内設定温度Ｔｓが「３℃」に設定され、圧縮機２１が停止制御される下限値Ｔｓｄは「１℃」となるのであるが、上記のような状況においては、周囲条件にもよるが、検知温度Ｔｋが同下限値Ｔｓｄからさらに２Ｋ程度下がる可能性がある（「−１℃」）。そうすると、庫内温度としてマイナス温度「−１℃」が庫内温度表示部３５で表示されることとなり、冷蔵庫でありながら収納した貯蔵物が凍ってしまうのではないかといった不安感をユーザーに与えるおそれがある。
【００２３】
この実施形態では、上記のような不具合を除去するべく対策が講じられており、上記した制御装置３０には、表示温度補正部４１が備えられている。この表示温度補正部４１は、庫内サーミスタ２８の検知温度Ｔｋが庫内設定温度Ｔｓの下限値Ｔｓｄに至って圧縮機２１が停止したのち、同検知温度Ｔｋが庫内設定温度Ｔｓの上限値Ｔｓｕに至って圧縮機２１が再運転されるまでの間、すなわち圧縮機２１が停止状態にあって冷却ファン２６が間欠運転制御されている間、庫内サーミスタ２８の検知温度Ｔｋが庫内設定温度Ｔｓの下限値Ｔｓｄ未満となった場合には、庫内温度表示部３５に対し、検知温度Ｔｋとは無関係に庫内設定温度Ｔｓの下限値Ｔｓｄを表示温度として表示させるように機能する。
【００２４】
また、上記した表示温度補正部４１は、庫内サーミスタ２８の検知温度Ｔｋが庫内設定温度Ｔｓの下限値Ｔｓｄに達したのち、さらにこの庫内設定温度Ｔｓの下限値Ｔｓｄよりも所定値（３Ｋ）低い低基準温度Ｔｃ以下となった場合には、上記の温度補正をキャンセルし、当該検知温度Ｔｋを表示温度として庫内温度表示部３５に表示する機能も併せて備えている。  
さらに、庫内サーミスタ２８の検知温度Ｔｋが上記の低基準温度Ｔｃ以下である状態が連続して所定時間（例えば１時間）継続した場合には、警報部３６により低温警報を発するようになっている。
【００２５】
続いて、庫内温度表示に係る作用を図６のタイミングチャートに基づいて説明する。  
庫内温度（検知温度Ｔｋ）が庫内設定温度Ｔｓの上限値Ｔｓｕに達すると（タイミングＡ）、圧縮機２１がオンされるとともに、冷却ファン２６が連続運転モードとなり、これにより冷気が冷蔵室１１に循環供給されて冷却されることで、庫内温度は次第に低下する。この間、３０秒おきに庫内サーミスタ２８の検知温度Ｔｋが取り込まれ、同検知温度Ｔｋに基づく整数値の表示温度が、庫内温度表示部３５に切り替え（上書きを含む）表示される。
【００２６】
庫内温度の低下が進んで、検知温度Ｔｋが庫内設定温度Ｔｓの下限値Ｔｓｄに達すると（タイミングＢ）、圧縮機２１がオフとなるとともに、冷却ファン２６が間欠運転モードに切り替わる。これにより、実際の庫内温度は上昇に転じるが、上記したように条件によっては、庫内サーミスタ２８で検知される検知温度Ｔｋは引き続いて下降し、例えば「−１℃」程度まで下降したのち改めて上昇に転じるといった現象を呈することがある。  
このように、庫内サーミスタ２８の検知温度Ｔｋが庫内設定温度Ｔｓの下限値Ｔｓｄを下回って下降し、再び同下限値Ｔｓｄまで上昇する間は、検知温度Ｔｋとは無関係に、庫内設定温度Ｔｓの下限値Ｔｓｄが表示温度となって庫内温度表示部３５で表示される。  
検知温度Ｔｋが庫内設定温度Ｔｓの下限値Ｔｓｄまで上昇し（タイミングＣ）、それ以降引き続いて上昇する間は、上記した温度表示の補正機能がキャンセルされて、再び検知温度Ｔｋに基づく整数値の表示温度が庫内温度表示部３５に表示される。
【００２７】
冷蔵庫に異常があり、例えば冷却ファン２６が故障により停止状態が継続されたり、圧縮機２１がオフするタイミングとなってもオン状態が継続されるような事態が生じたときには、特性線Ｘに示すように、検知温度Ｔｋが庫内設定温度Ｔｓの下限値Ｔｓｄからさらに継続して下降する現象を呈する。この場合は、初めは温度補正機能が発揮されて、上記と同様に庫内設定温度Ｔｓの下限値Ｔｓｄが表示温度となって庫内温度表示部３５で表示される。  
検知温度Ｔｋの下降が続いて、下限値Ｔｓｄよりも３Ｋ低い低基準温度Ｔｃに達したら（タイミングＤ）、それ以降については、温度補正機能がキャンセルされて、検知温度Ｔｋが表示温度として庫内温度表示部３５で表示される。この場合は、表示温度が「−２℃」以下のマイナス温度となり、これを以て、ユーザーに対して異常があったことを予備的に警告することに利用できる。  
また、検知温度Ｔｋが上記の低基準温度Ｔｃ以下である状態が連続して所定時間（１時間）継続した場合には、警報部３６においてランプやブザーにより低温警報を発する。
【００２８】
以上説明したように本実施形態の冷蔵庫によれば、冷却制御運転中における圧縮機２１の停止時に冷却ファン２６を間欠運転するに当たり、特に停止状態から開始するようにしたことで、省エネルギ化をより確実に実現でき、仮にそのことに伴って庫内サーミスタ２８の検知温度Ｔｋが実際の庫内温度を不必要に下回る温度、例えばマイナス温度になった場合でも、表示温度としては、庫内設定温度Ｔｓの下限値Ｔｓｄといった実際の庫内温度に近いプラス温度に補正して表示するようにしたから、冷蔵庫でありながら貯蔵物が凍ってしまうのではないかといった不安感をユーザーに与えることを未然に防止できる。
【００２９】
また、庫内サーミスタ２８の検知温度Ｔｋが下降し続けて、庫内設定温度Ｔｓの下限値Ｔｓｄよりも３Ｋ低い低基準温度Ｔｃ（−２℃）に達するような場合は、何らかの異常事態が発生している可能性が高く、そのため検知温度Ｔｋが低基準温度Ｔｃに達したのちさらに下がる場合については温度補正機能がキャンセルされ、当該検知温度Ｔｋが表示温度として庫内温度表示部３５で表示される。すなわち、表示温度は「−２℃」以下のマイナス温度となり、これを以て、ユーザーに対して異常があったことを予備的に警告することができる。
【００３０】
＜他の実施形態＞
本発明は上記記述及び図面によって説明した実施形態に限定されるものではなく、例えば次のような実施形態も本発明の技術的範囲に含まれる。  
（１）補正された表示温度すなわち補正温度としては、上記実施形態に例示した庫内設定温度の下限値Ｔｓｄに限らず、庫内設定温度Ｔｓやその近辺の任意の温度としてもよい。  
（２）表示温度補正部による補正温度機能は、冷却ファンが間欠運転に切り替わったのちの冷却ファンが初めにオフ状態である場合のみに機能させるようにしてもよい。検知温度が実際の庫内温度を不必要に下回る事態が生じるのは、冷却ファンが初めにオフ状態となったときが顕著であると考えられ、必要時にのみ補正温度機能を発揮させる意図である。これにより表示温度の補正に係る制御時間が短縮され、制御装置においてＣＰＵの利用率を高めたり、メモリの容量を抑えることが可能となる。
【００３１】
（３）冷却ファンを間欠運転する際のオン／オフ時間について、上記実施形態に例示した１５秒／１５０秒はあくまでも一例であって、他の時間であっても良い。  
（４）表示温度の基となる庫内検知温度としては、取り込むタイミングの前における複数回のサンプリング時間の検知温度の平均値とする等、他の方法によって得た検知温度であってもよい。  
（５）表示温度の切り替えは、上記実施形態に例示した３０秒ごとに限らず、他の時間ごとであってもよい。
【００３２】
（６）検知温度が低温基準値に達したら温度補正機能をキャンセルする機能は必ずしも必要ではなく、そのようなものも本発明の技術的範囲に含まれる。  
（７）本発明に係る表示温度の補正機能は、冷蔵庫等の冷却温度がプラス温度のものである場合に特に有効であると考えられるが、表示温度が設定温度を相当量下回っていると不安を覚えるのは冷凍庫等でも同様であるから、本発明は、庫内温度を表示する機能を備えた冷却貯蔵庫全般に広く適用することが可能である。
【符号の説明】
【００３３】
１１…冷蔵室（貯蔵室）  ２１…圧縮機  ２４…冷却器  ２５…冷凍装置  ２６…冷却ファン  ２８…庫内サーミスタ  ３０…制御装置  ３５…庫内温度表示部（庫内温度表示手段）  ３６…警報部（警報手段）  ４０…ファン制御部（ファン制御手段）  ４１…表示温度補正部（表示温度補正手段）  Ｔｋ…検知温度  Ｔｓ…庫内設定温度  Ｔｓｄ…下限値  Ｔｓｕ…上限値  Ｔｃ…低基準温度
【図１】
2011208850.tif 000003
【図２】
2011208850.tif 000004
【図３】
2011208850.tif 000005
【図４】
2011208850.tif 000006
【図５】
2011208850.tif 000007
【図６】
2011208850.tif 000008
【図７】
2011208850.tif 000009